(57)【要約】【解決の手段】本発明は、紙葉と、メッセージ内容に対する対応法を表示する複数の対応表示舌片を前記紙葉の端縁近傍位置に切込線を配することにより巻き付け可能に形成し、前記対応表示舌片をもって複数の前記紙葉を綴じ合わせ可能にしたことを特徴とする伝言メモ用紙である。また、前記対応表示舌片が、メッセージ内容に対する感情を表現する感情表示舌片であることを特徴とする請求項１に記載した伝言メモ用紙である。【効果】本発明の伝言メモ用紙は、電話がかかってきた相手または来訪相手が不在のときに、電話をかけた相手または来訪者の伝言内容、相手の意向等をメモするだけでなく、メモ内容に対する対応方法を一目で判断することができるのはもちろんのこと、文字だけでは届かない心のニュアンスをも相手に伝えることができ、かつ複数枚のメモ用紙を束ねて整頓することができる。【選択図】図６
2006088505.tif 000002
【特許請求の範囲】
【請求項１】
紙葉の端縁近傍位置に、メッセージ内容に対する対応法を表示する複数の対応表示舌片を切込線を配することにより巻き付け可能に形成し、前記対応表示舌片をもって複数の前記紙葉を綴じ合わせ可能にしたことを特徴とする伝言メモ用紙。
【請求項２】
前記対応表示舌片が、メッセージ内容に対する感情を表現する感情表示舌片であることを特徴とする請求項１に記載した伝言メモ用紙。
【発明の詳細な説明】
【技術分野】
【０００１】
本発明は、電話がかかってきた相手または来訪相手が不在のときに、電話をかけた相手または来訪者の伝言内容、相手の意向等をメモするだけでなく、文字だけでは届かない心のニュアンスを相手に伝えることができ、かつ複数枚のメモ用紙を束ねて整頓できる伝言メモ用紙に関するものである。
【背景技術】
【０００２】
従来、この種の伝言メモ用紙としては、用件欄に記載されたメッセージ内容を見ないと、伝言内容が重要なものなのか、緊急を要するものなのか、あるいはそうでないかを判断することができない欠点があった。そこで、例えば登録実用新案公報第３０４１７２２号（以下、(イ)とする。）のように、不在者に対し電話をかけた相手または来訪者の意向及びメッセージ内容を用件記入欄に記入した後、紙葉の用件記入欄を内側にしてメモ対応項目表示片側へ折り曲げ、メモ内容に対応するメモ対応項目表示片を表面に露出させるため、この伝言メモを受け取った不在者は表面に露出するメモ対応項目表示片の表示を見るだけでメモ内容に対する対応方法を一目で判断することができる伝言メモ用紙は既に知られている。
【特許文献１】登録実用新案公報第３０４１７２２号
【発明の開示】
【発明が解決しようとする課題】
【０００３】
しかし前記 (イ)は、メモ内容に対する対応方法を一目で判断することができるが、文字だけでは届かない心のニュアンスまでは不在者に伝えることはできない。また、電話連絡や来訪者の多い人が不在の場合、卓上に伝言メモ用紙が多数溜まり煩雑となる。
【０００４】
そこで、本発明は前記従来技術の問題点に着目してなされたもので、電話がかかってきた相手または来訪相手が不在のときに、電話をかけた相手または来訪者の伝言内容、相手の意向等をメモするだけでなく、メモ内容に対する対応方法を一目で判断することができるのはもちろんのこと、文字だけでは届かない心のニュアンスをも相手に伝えることができ、かつ複数枚のメモ用紙を束ねて整頓できる伝言メモ用紙を提供することを目的とする。
【課題を解決するための手段】
【０００５】
本発明は、紙葉と、メッセージ内容に対する対応法を表示する複数の対応表示舌片を前記紙葉の端縁近傍位置に切込線を配することにより巻き付け可能に形成し、前記対応表示舌片をもって複数の前記紙葉を綴じ合わせ可能にしたことを特徴とする伝言メモ用紙である。
また、前記対応表示舌片が、メッセージ内容に対する感情を表現する感情表示舌片であることを特徴とする請求項１に記載した伝言メモ用紙である。
【発明の効果】
【０００６】
本発明の伝言メモ用紙は、電話がかかってきた相手または来訪相手が不在のときに、電話をかけた相手または来訪者の伝言内容、相手の意向等をメモするだけでなく、メモ内容に対する対応方法を記載した対応表示舌片を紙葉に対して起立させることにより、この伝言メモを受け取った不在者は、起立した対応表示舌片の表示を見るだけで対応方法を一目で判断することができる。
また、感情表示舌片を使用することにより、メッセージだけでは伝えられない心のニュアンスをも不在者に伝えることができる。
さらに、卓上に紙葉が多数溜まり始めた場合、対応法を表した対応表示舌片や相手の感情を表した感情表示舌片ごとに重ね合わせてその基部に巻き付けることにより、複数の紙葉を綴じ合わせることができ、卓上を整頓することができる。
【発明を実施するための最良の形態】
【０００７】
以下本発明の第１の実施例を図１から図７を基に詳細に説明する。
伝言メモ用紙１は、同一形状の複数枚の紙葉２の一端を糊付けして冊子状に形成し、この紙葉２の端縁近傍位置に等間隔に配列された舌状の複数の対応表示舌片３が、紙葉に対して垂直にめくり得るよう、切込線４を配することにより形成されている。対応表示舌片３は、３個の円を直列配置し、紙葉２の端縁からみて最端の円をやや大きめに設け、裏側には重要、至急、電話ほしい等のメッセージ内容に対する対応法を表示する文字を印刷などにより予め記載している。切込線４は、ミシン目や一部に切れ目のある不連続線等の破線により形成されている。前記紙葉２には、対応表示舌片３を除く部分、即ち、対応表示舌片３の下方に位置して、不在者に対し電話をかけた相手または来訪者の意向及びメッセージ内容を記入するための用件記入欄５が形成されている。
【０００８】
ここで、対応表示舌片３の個数は、対応方法を表示する文字の必要数によって決定されるため、第１の実施例では３個の例で示しているが、その必要数によって３個以上設けてもよいし、もちろん２個であってもよい。また、形状は３個の円を直列配置したものに限定されるものではなく、切込線の両端４１、４２が紙葉２の端縁近傍に位置していれば、半円状や、三角状、四角状など種々の曲線あるいは直線の組合せで形成してもよいし、直列配置した形状の個数も任意でよい。また、紙葉２の端縁からみて最端の形状をやや大きめに設けると、対応表示舌片３を重ね合わせて、対応表示舌片の基部３１に巻き付けたときに、対応表示舌片３の先端が対応表示舌片の基部３１に引掛り、巻き戻ることがない。また、対応表示舌片３をめくる際に一々裏側の表示を確認しなくてもよいように、対応方法を表示する文字は、裏側だけでなく表側にも記載してよい。また、切込線４を連続線で形成してもよい。
【０００９】
本発明第１の実施例は以上のような構造であり、次にその作用について詳細に説明する。本発明の伝言メモ用紙１は、まず紙葉２の用件記入欄５に、電話をかけてきた相手または来訪者の氏名と、その意向及びメッセージ内容等を電話相手または来訪者に応対した者が記入する。
然る後、メッセージ内容に対する対応法が記載された対応表示舌片３をめくり、紙葉２に対して起立するよう切込線の両端４１、４２で垂直に折り曲げる。例えば、電話をかけてきた相手が至急連絡をほしいとのメッセージを残した場合は、至急と記載された対応表示舌片３を紙葉２に対して起立させる。
その後、卓上に紙葉２が多数溜まり始めた場合、対応法を表した対応表示舌片３ごとに前記紙葉２を綴じ合わせ、整頓する。その方法は、起立するように垂直に折り曲げた前記対応表示舌片３を重ね合わせて、対応表示舌片の基部３１に巻き付けることにより、複数の紙葉２が綴じ合わされる。
【００１０】
次に、本発明の第２の実施例を図８から図１１を基に詳細に説明する。第１の実施例と重複する箇所は省略する。
感情表示舌片６は、裏側に文字だけでは届かない心のニュアンスを相手に伝えるための、喜怒哀楽を表す顔文字を印刷などにより予め記載している。ここで、感情表示舌６の裏側に記載する文字は、心のニュアンスを相手に伝え得るものであれば特に制限はなく、顔文字だけでなく、喜怒哀楽の文字等であってもよい。
【００１１】
本発明第２の実施例は以上のような構造であり、次にその作用について詳細に説明する。本発明の伝言メモ用紙１は、まず紙葉２の用件記入欄５に、電話をかけてきた相手または来訪者の氏名と、その意向及びメッセージ内容等を電話相手または来訪者に応対した者が記入する。
然る後、メッセージ内容に対し電話相手の感情に対応した感情表示舌片６をめくり、紙葉２に対して起立するよう切込線の両端４１、４２で垂直に折り曲げる。例えば、電話をかけてきた相手が納品先で、至急連絡がほしいとのメッセージであったが、それだけでは心のニュアンスを不在者に伝えることができない場合、応対した者にしか分からない電話相手の感情を、感情表示舌片６を用いることによって表現し、不在者に対して伝えることができる。
その後、卓上に紙葉２が多数溜まり始めた場合、相手の感情を表した感情表示舌片６ごとに前記紙葉２を綴じ合わせ、整頓する。その方法は、起立するように垂直に折り曲げた前記感情表示舌片６を重ね合わせて、感情表示舌片の基部６１に巻き付けることにより、複数の紙葉２が綴じ合わされる。
【００１２】
また、本発明を前記第１の実施例及び第２の実施例により説明したが、これらを組合せて使用してもよい。つまり、対応表示舌片３と感情表示舌片６とを組合せて使用してもよい。この場合、例えば、電話をかけてきた相手が納品先で、至急連絡がほしいとのメッセージであったが、それだけでは心のニュアンスを相手に伝えることができない場合、応対した者にしか分からない電話相手の感情を、感情表示舌片６を用いることによって表現して不在者に対して伝えることができ、さらに、至急と記載された対応表示舌片３を紙葉２に対して起立させることにより、至急であることを不在者に対して伝えることができる。
【００１３】
なお、本発明を前記第１の実施例及び第２の実施例により説明したが、本発明はこれらの実施例に限定されるものではない。
【図面の簡単な説明】
【００１４】
【図１】本発明に係る伝言メモ用紙の斜視図
【図２】本発明に係る紙葉の正面図
【図３】第１の実施例に係る紙葉の背面図
【図４】第１の実施例に係る紙葉の斜視図
【図５】第１の実施例において対応表示舌片を紙葉に対して起立するように折り曲げた状態を示した紙葉の斜視図
【図６】第１の実施例において紙葉に対して起立するように折り曲げた対応表示舌片を複数重ね合わせた状態を示した紙葉の斜視図
【図７】第１の実施例において対応表示舌片を対応表示舌片の基部に巻き付けて複数の紙葉が綴じ合わされた状態を示した紙葉の斜視図
【図８】第２の実施例に係る紙葉の背面図
【図９】第２の実施例において感情表示舌片を紙葉に対して起立するように折り曲げた状態を示した紙葉の斜視図
【図１０】第２の実施例において紙葉に対して起立するように折り曲げた感情表示舌片を複数重ね合わせた状態を示した紙葉の斜視図
【図１１】第２の実施例において感情表示舌片を感情表示舌片の基部に巻き付けて複数の紙葉が綴じ合わされた状態を示した紙葉の斜視図
【符号の説明】
【００１５】
１          伝言メモ用紙
２          紙葉
３          対応表示舌片
３１          対応表示舌片の基部
４          切込線
４１、４２    切込線の両端
５          用件記入欄
６          感情表示舌片
６１          感情表示舌片の基部
【図１】
2006088505.tif 000003
【図２】
2006088505.tif 000004
【図３】
2006088505.tif 000005
【図４】
2006088505.tif 000006
【図５】
2006088505.tif 000007
【図６】
2006088505.tif 000008
【図７】
2006088505.tif 000009
【図８】
2006088505.tif 000010
【図９】
2006088505.tif 000011
【図１０】
2006088505.tif 000012
【図１１】
2006088505.tif 000013